(57)【要約】【課題】使用者、特に足腰の弱い高齢者が、起立状態から着座する際に受ける衝撃を緩和するとともに、着座状態から起立する動作を補助することにより、着座時および起立時の利便性を向上させることができる椅子を提供する。【解決手段】座部１０と、背もたれ２０と、脚部３０とを備える椅子１である。座部１０の下方に、前部にて直接、かつ、後部にて昇降機構５０を介して、夫々座部１０に連結された基台４０が設けられている。好適には、昇降機構５０が、Ｘ字状態に連結された一対のアーム板からなる脚体と、一対のアーム板の両端に夫々設けられた一対のローラと座部１０および基台４０の後部に夫々設けられた、ローラが転動するためのレールと、一対のアーム板間に跨設されたスプリングとからなる。【選択図】　　　図１
2004073424.tif 000002
【特許請求の範囲】
【請求項１】
座部と、背もたれと、脚部とを備える椅子において、
前記座部の下方に、前部にて直接、かつ、後部にて昇降機構を介して、夫々該座部に連結された基台が設けられていることを特徴とする椅子。
【請求項２】
前記昇降機構が、Ｘ字状態に連結された一対のアーム板からなる脚体と、該一対のアーム板の両端に夫々設けられた二対のローラと、前記座部および基台の後部に夫々設けられた、該ローラが転動するためのレールと、前記一対のアーム板間に跨設されたスプリングとからなる請求項１記載の椅子。
【請求項３】
前記スプリングが、前記一対のアーム板の両側面に着脱自在に跨設されている請求項２記載の椅子。
【請求項４】
前記スプリングがコイルスプリングである請求項３記載の椅子。
【請求項５】
前記スプリングが板バネである請求項３記載の椅子。
【発明の詳細な説明】
【０００１】
【発明の属する技術分野】
本発明は椅子に関し、詳しくは、起立状態から着座する際に使用者が受ける衝撃を緩和させるとともに、着座状態から起立する動作を補助することができる椅子に関する。
【０００２】
【従来の技術】
一般に、汎用されている椅子においては、座部、背もたれ、および脚部が一体的に、また、用途に応じ折りたたみ可能に形成されている。また、使用者の臀部や背部が配置される座部や背もたれには、快適な座り心地を与えるために、通常、弾力性を有する緩衝材が設けられている。
【０００３】
【発明が解決しようとする課題】
しかしながら、座部と脚部とが一体的に形成されている従来の椅子においては、足腰の弱い高齢者が起立状態から着座する場合に、腰や臀部に強い衝撃を受けてしまうという問題があった。その一方、着座状態から起立する場合には、脚や腰、腕力等の身体全体の力が必要であり、高齢者にとっては大きな負担となっていた。
【０００４】
また、座部と脚部との間にガスシリンダー等を内蔵させて、座部を垂直方向に上下動させることのできる構造の椅子も市販されているが、かかる構造の椅子は、着座中に視線の上下位置を調節したり、机との相対的な高さ位置を調節したりすることを目的としているに過ぎないものであり、着座時における緩衝効果の向上や、着座状態からの起立動作の補助機能は得られなかった。
【０００５】
そこで本発明の目的は、上記問題を解消して、特に足腰の弱い高齢者が、起立状態から着座する際に受ける衝撃を緩和するとともに、着座状態から起立する動作を補助することにより、着座時および起立時の利便性を向上させることができる椅子を提供することにある。
【０００６】
【課題を解決するための手段】
上記課題を解決するために、本発明の椅子は、座部と、背もたれと、脚部とを備える椅子において、前記座部の下方に、前部にて直接、かつ、後部にて昇降機構を介して、夫々該座部に連結された基台が設けられていることを特徴とするものである。
【０００７】
前記昇降機構は、Ｘ字状態に連結された一対のアーム板からなる脚体と、該一対のアーム板の両端に夫々設けられた二対のローラと、前記座部および基台の後部に夫々設けられた、該ローラが転動するためのレールと、前記一対のアーム板間に跨設されたスプリングとからなるものとすることができる。
【０００８】
また、前記スプリングは、前記一対のアーム板の両側面に着脱自在に跨設されていることが好ましい。
【０００９】
さらに、前記スプリングとしては、コイルスプリングまたは板バネを好適に用いることができる。
【００１０】
これにより、通常の状態では座部後方がスプリング等の昇降機構の付勢により上昇しているため、使用者が起立状態から着座する際には、その動きに伴って座部が緩やかに下降して、腰や臀部に受ける衝撃を緩和することができる。一方、着座状態から起立する際には、昇降機構の後戻り付勢力により座部後方が上昇するため、起立動作の補助機能を得ることが可能となる。
【００１１】
また、スプリングを、昇降機構を構成する夫々のアーム板の両側面に着脱自在に跨設した場合には、例えば、使用者の体重によりスプリングの装着数を任意に選択することで、昇降機構による衝撃緩和力および起立動作の補助力を使用者に応じて適切に調節することが可能となる。さらに、スプリングとしてコイルスプリングや板バネを用いることにより、スプリングの付勢強度を調節することもできる。
【００１２】
【発明の実施の形態】
以下、本発明の椅子の実施の形態について、図面を参照しつつ詳細に説明する。
図１〜図３に、本発明の椅子の斜視図、背面図および側面図を夫々示す。図示する椅子１は、中空状の金属パイプにて形成された座部１０と、背もたれ２０と、脚部３０とを備え、使用者が起立状態から着座する際に受ける衝撃を緩和させる一方、着座状態から起立する際にはその動作を補助する機能を有するものである。
【００１３】
図示するように、座部１０は、矩形状に形成された枠体１１と、この枠体１１の略中央に設置された緩衝性を有する座具１２とで構成されている。座部１０の後部は、背もたれ２０の枠体２１間に位置しており、前部は、詳細後述の基台４０の前部と連結具４３を介して折曲自在に連結されている。
【００１４】
背もたれ２０は、脚部３０よりやや傾斜状に立設された枠体２１と、枠体２１の上部に設けられた緩衝性を有する背当具２２とで構成されており、枠体２１の略中央部分は、脚部３０より立設された支持軸３４にて補強されている。
【００１５】
脚部３０は、矩形状を呈する枠体３１と、枠体３１間に跨設された補強軸３２とで構成されている。また、脚部３０の長手方向略中央部分には、基台４０の前部を下方から保持する支持軸３３が、後部には、背もたれ２０の枠体２１を補強する支持軸３４が、夫々立設されている。
【００１６】
基台４０は、座部１０の下方に配置され、矩形状の枠体４１と、枠体４１の両側面上部に突出して形成された一対の肘掛け４２とにより構成されている。また、基台４０の、前部は脚部３０より立設された上記支持軸３３に、後部は背もたれ２０の枠体２１間に、夫々固定されて、下側から支持されている。さらに、基台４０の前部は前記連結具４３にて座部１０の前部と連結されており、一方、基台４０の後部は昇降機構５０を介して座部１０と連結されており、この昇降機構５０の機能により、座部１０の後部は上下動自在に形成されている。
【００１７】
かかる昇降機構５０としては、例えば、図５に拡大して示すように、ボルト５３等の連結具を用いてＸ字状態に連結された一対の平板状のアーム板５２ａ、５２ｂからなる脚体５１と、これらアーム板の両端に夫々設けられた二対のローラ５４と、座部１０および基台４０の後部に夫々設けられた、ローラ５４が転動するためのレール５５、５６と、上記一対のアーム板５２ａ、５２ｂ間に跨設されたスプリング６０とで構成されているものを好適に用いることができる。なお、レール５６内には、座部１０の上昇限度を設定するためのストッパ５７を設けることが好ましい。
【００１８】
図示する昇降機構５０においては、使用者が着座して座部１０が上方より加重された際には、アーム板５２ａ、５２ｂの両端のローラ５４が夫々のレール５５、５６内を外側方向に転動して移動し、これに伴いアーム板５２ａ、５２ｂがボルト５３を支点として倒伏して、座部１０が下降する（図６参照）。この際、アーム板５２ａ、５２ｂ間に跨設されたスプリング６０が徐々に伸ばされることで、座部１０の下降は緩やかに行われることとなり、結果として、使用者の着座時の動きに合わせたスムースな座部１０の下降が実現される。
【００１９】
一方、使用者が座部１０から起立しようとした際には、座部１０への加重が解除されて、スプリング６０の後戻り付勢力によりアーム板５２ａ、５２ｂ同士が引き寄せられ、ローラ５４が夫々のレール５５、５６内を内側方向に転動して移動し、座部１０が上昇する（図示せず）。これにより、着座状態からの起立動作の補助機能を、使用者の動きに伴ってスムースに得ることができる。
【００２０】
また、スプリング６０は、図７に示すように、一対のアーム板５２ａ、５２ｂの両側面に、ボルト５８とナット５９を介して着脱自在に跨設することができる。これにより、例えば、利用者の体重が比較的軽い場合には、一方のスプリングを取り外して使用することが可能である。
【００２１】
スプリング６０は、伸縮性を有するものであれば特に限定されるものではないが、操作性や伸縮力を考慮した場合には、汎用のコイルスプリングを使用することが好ましい。また、図８に示すように、用途に応じて板バネ６１をアーム板５２ａ、５２ｂに跨設して用いてもよい。
【００２２】
次に、本発明の椅子の使用方法を説明する。
使用者、特に足腰の弱い高齢者が起立状態から着座する際には、肘掛け４２に手を掛けて座部１０へ着座するが、このとき、座部１０の後方はスプリングの付勢により上昇され傾斜状態に維持されているため、着座の動作を容易に行うことができる（図１〜図３参照）。
【００２３】
座部１０が上方より加重されると、アーム板５２ａ、５２ｂの両端のローラ５４が夫々のレール５５、５６内を外側方向に転動して移動し、アーム板５２ａ、５２ｂが倒伏されて座部１０が基台４０と平行状態に保持される（図４、９参照）。このとき、夫々のアーム板に跨設されたスプリング６０が伸ばされるため、座部１０の下降が緩やかに行われ、使用者が腰や臀部に受ける衝撃を緩和することができる。
【００２４】
また、使用者が肘掛け４２に手をかけて座部１０から起立しようとした場合、座部１０への加重が解除され、スプリング６０の後戻り付勢力によりアーム板５２ａ、５２ｂが引き寄せられて、ローラ５４が夫々のレール５５、５６内を内側方向に転動して移動し、座部１０が上昇する。そのため、使用者は着座状態からの起立動作の補助機能を得ることができ、足腰の弱い高齢者でも、少ない力で容易に椅子１から立ち上がることができる（図１０参照）。
【００２５】
【発明の効果】
以上説明してきたように、本発明の椅子は、上述の構成とすることで以下に示す効果を奏するものである。
【００２６】
座部の後部が昇降機構の付勢により上昇していることで、起立状態から着座する動作を容易に行うことができるとともに、使用者の動きに伴い座部が緩やかに下降されることにより、腰や臀部に受ける衝撃を緩和することができる。また、着座状態から起立する際には、昇降機構の付勢により座部の後部が上昇するため、起立動作の補助機能を得ることができる。さらに、昇降機構において、スプリングを一対のアーム板の両側面に着脱自在に跨設して用いた場合には、使用者の体重によりスプリングの装着数を適宜決定することで、付勢力の大きさを適切に調節することができる。
【図面の簡単な説明】
【図１】本発明の椅子を示す全体斜視図である。
【図２】図１の椅子を示す背面図である。
【図３】図１の椅子を示す側面図である。
【図４】座部に加重をかけた状態を示す側面図である。
【図５】昇降機構を示す拡大正面図である。
【図６】上方より加重した状態の昇降機構を示す拡大正面図である。
【図７】昇降機構を示す拡大平面図である。
【図８】アーム間に跨設されたスプリングの他の好適例を示す拡大正面図である。
【図９】椅子に着座した状態を示す使用状態図である。
【図１０】椅子から立ち上がる状態を示す使用状態図である。
【符号の説明】
１　椅子
１０　座部
１１　枠体
１２　座具
２０　背もたれ
２１　枠体
２２　背当具
３０　脚部
３１　枠体
３２　補強軸
３３　支持軸
３４　支持軸
４０　基台
４１　枠体
４２　肘掛け
４３　連結具
５０　昇降機構
５１　脚体
５２ａ、５２ｂ　アーム板
５３　ボルト
５４　ローラ
５５、５６　レール
５７　ストッパ
５８　ボルト
５９　ナット
６０　スプリング（コイルスプリング）
６１　スプリング（板バネ）
【図１】
2004073424.tif 000003
【図２】
2004073424.tif 000004
【図３】
2004073424.tif 000005
【図４】
2004073424.tif 000006
【図５】
2004073424.tif 000007
【図６】
2004073424.tif 000008
【図７】
2004073424.tif 000009
【図８】
2004073424.tif 000010
【図９】
2004073424.tif 000011
【図１０】
2004073424.tif 000012